(57)【特許請求の範囲】
【請求項１】
携帯端末とホストコンピュータとを備える新契約申込手続処理システムであって、
前記ホストコンピュータには、作成番号に対応付けて保険申込の事前情報を記憶する第１のデータベースと、申込番号に対応付けて確認処理された申込情報を記憶する第２のデータベースと、証券番号に対応付けて保険情報を記憶する第３のデータベースとが接続され、更に、営業所端末と本社端末が接続され、
前記携帯端末は、ラベル印刷機器と決済機器を有する外部接続機器が接続可能であり、前記第１のデータベースから保険申込の事前情報を基に、作成番号に対応した意向申込内容確認画面、お客様情報確認画面、重要書類受領確認画面を作成して表示部に表示し、前記重要書類受領確認画面から入力された保険契約者、被保険者の署名データを前記作成番号と共に前記ホストコンピュータに送信し、前記保険申込の事前情報に変更があると、作成番号と変更内容のデータを前記ホストコンピュータに送信し、前記変更内容を反映させた変更事項のデータを前記ホストコンピュータから受信すると、前記ラベル印刷機器に変更事項を印刷させ、作成番号と入力された告知内容のデータを前記ホストコンピュータに送信し、前記決済機器で決済手続が為されると、作成番号に決済番号を付与して入金内容のデータを前記ホストコンピュータに送信し、
前記ホストコンピュータは、前記携帯端末からの前記署名データ、前記変更内容のデータ、前記告知内容のデータ、前記入金内容のデータを受信して前記第１のデータベースに作成番号に対応付けて記憶し、
前記営業所端末は、前記第１のデータベースに記憶されたデータに基づいて申込内容点検・入力処理、告知点検・入力処理、入金点検・入力処理のいずれかを開始すると、開始された点検・入力処理に係る申込情報の作成番号が前記第２のデータベースに登録されているかを前記ホストコンピュータに問い合わせ、登録されていれば前記作成番号に対応する申込番号を取得し、登録されていなければ未使用の申込番号を取得し、取得した申込番号と前記点検・入力処理の内容のデータを前記ホストコンピュータに送信し、
前記ホストコンピュータは、前記営業所端末からの作成番号の登録の問い合わせに対して、当該作成番号が前記第２のデータベースに登録されていれば、前記作成番号と対応する申込番号を前記営業所端末に送信し、当該作成番号が前記第２のデータベースに登録されていなければ、前記作成番号と未使用の申込番号を前記営業所端末に送信し、前記営業所端末から前記点検・入力処理の内容データを受信し、前記申込番号と前記作成番号に対応付けて前記第２のデータベースに前記点検・入力処理の内容データを記憶し、
前記本社端末は、前記申込内容点検・入力処理、前記告知点検・入力処理及び前記入金点検・入力処理が終了すると、前記第２のデータベースに記憶されたデータを前記第３のデータベースに証券情報に対応付けて保険情報として移行して記憶することを特徴とする新契約申込手続処理システム。
【請求項２】
営業所端末は、第１のデータベースに記憶された、作成番号に決済番号が付与された入金内容のデータに基づいて入金点検・入力処理が開始されると、当該入金点検・入力処理に係る申込情報の作成番号が第２のデータベースに登録されているかをホストコンピュータに問い合わせ、登録されていれば前記作成番号に対応する申込番号を取得し、当該申込番号に前記決済番号を付与して点検・入力済入金内容のデータを前記ホストコンピュータに送信し、登録されていなければ未使用の申込番号を取得し、取得した申込番号に前記決済番号を付与して前記点検・入力済入金内容のデータを前記ホストコンピュータに送信し、
前記ホストコンピュータは、前記営業所端末からの作成番号の登録の問い合わせに対して、当該作成番号が前記第２のデータベースに登録されていれば、前記作成番号と対応する申込番号を前記営業所端末に送信し、当該作成番号が前記第２のデータベースに登録されていなければ、前記作成番号と未使用の申込番号を前記営業所端末に送信し、前記営業所端末から前記決済番号が付与された前記点検・入力済入金内容のデータを受信し、前記申込番号と前記作成番号に前記決済番号を対応付けて前記第２のデータベースに前記点検・入力済入金内容のデータを記憶することを特徴とする請求項１記載の新契約申込手続処理システム。
【請求項３】
ホストコンピュータは、第２のデータベースから第３のデータベースに保険情報として移行した場合に、前記第２のデータベースから申込番号に対応するデータを削除して当該申込番号を未使用にすることを特徴とする請求項１又は２記載の新契約申込手続処理システム。
【請求項４】
ラベル印刷機器は、印刷された申込内容控に対して、お申込内容訂正（変更）控に貼付されるラベルに変更事項を印刷することを特徴とする請求項１乃至３のいずれか記載の新契約申込手続処理システム。
【請求項５】
携帯端末は、告知内容のデータをホストコンピュータに送信する前に、告知内容確認・署名画面を表示部に表示し、当該告知内容確認・署名画面から入力された被保険者の署名データと前記告知内容のデータを作成番号と共に前記ホストコンピュータに送信し、
前記ホストコンピュータは、前記携帯端末からの前記告知内容のデータと前記署名データを受信して前記第１のデータベースに前記作成番号に対応付けて記憶することを特徴とする請求項１乃至４のいずれか記載の新契約申込手続処理システム。
【請求項６】
ホストコンピュータは、第２のデータベースから第３のデータベースに保険情報として移行する場合に、お客様番号に対してお客様情報を管理するお客様データベースを申込情報の保険契約者の情報で検索して該当するお客様番号を取得し、第３のデータベースに証券番号、お客様番号、申込情報を保険情報として記憶することを特徴とする請求項１乃至５のいずれか記載の新契約申込手続処理システム。
【請求項７】
作成番号に対応付けて保険申込の事前情報を記憶する第１のデータベースと、申込番号に対応付けて確認処理された申込情報を記憶する第２のデータベースと、証券番号に対応付けて保険情報を記憶する第３のデータベースとが接続され、携帯端末、営業所端末と本社端末と通信を行うホストコンピュータで動作する処理プログラムであって、
前記ホストコンピュータの制御部に前記処理プログラムが読み込まれて実現される処理手段として、
前記営業所端末からの作成番号の登録の問い合わせに対して、前記第２のデータベースに当該作成番号が登録されていれば、前記作成番号と対応する申込番号を前記営業所端末に送信し、前記第２のデータベースに当該作成番号が登録されていなければ、前記作成番号と未使用の申込番号を前記営業所端末に送信し、前記営業所端末から点検・入力処理の内容データを受信し、前記申込番号と前記作成番号に対応付けて前記第２のデータベースに前記点検・入力処理の内容データを記憶する手段を有することを特徴とする処理プログラム。
【請求項８】
請求項７記載の処理プログラムであって、
営業所端末からの作成番号の登録の問い合わせに対して、当該作成番号が第２のデータベースに登録されていれば、前記作成番号と対応する申込番号を前記営業所端末に送信し、当該作成番号が前記第２のデータベースに登録されていなければ、前記作成番号と未使用の申込番号を前記営業所端末に送信し、前記営業所端末から決済番号が付与された点検・入力済入金内容のデータを受信し、前記申込番号と前記作成番号に前記決済番号を対応付けて前記第２のデータベースに前記点検・入力済入金内容のデータを記憶する手段を有することを特徴とする処理プログラム。
【発明の詳細な説明】
【技術分野】
【０００１】
本発明は、携帯端末を利用して保険の新契約の申込を行う新契約申込手続処理システムに係り、特に、申込内容の変更を新契約者に容易に認識させ、申込内容点検処理、入金点検処理、告知点検処理の各点検処理を関連付けて証券番号で管理されるデータベースへ申込情報を効率的に移行できる新契約申込手続処理システムに関する。
【背景技術】
【０００２】
［従来の技術］
［お客様への保険の提案とお客様の新契約申込］
従来の保険の新契約を申し込む手続の流れは、保険の新契約を申込むお客様に対して、保険会社の営業職員は、営業所のコンピュータで「保障設計書」「意向確認書」「申込書」を作成して、それらを印刷し、更に印刷物である「注意喚起情報」「告知書」を持参する。
営業職員は、「保障設計書」を説明して保険内容を提案し、お客様が保険申込に了解する場合には、「ご契約のしおり／注意喚起情報」を説明して、お客様に「意向確認書」「申込書」「告知書」「重要書類受領確認書」に記入・署名してもらうことになっていた。
【０００３】
［営業職員の契約入力とオフィス長の確認］
更に、保険申込に当たって、お客様には保険料を入金してもらい、保険会社の営業職員としては、上記「申込書」を参照して営業所のコンピュータで保険申込データを作成し、「取扱報告書」を作成して印刷する。
そして、保険会社のオフィス長は、記入・署名のある「申込書」「意向確認書」「告知書」「重要書類受領確認書」（以下「申込書等」）と「取扱報告書」を確認する。
【０００４】
保険申込データは、申込内容を補足するもので、「申込日」「年収」「受取人」「指定代理請求人」「総合取引サービス申込の有無」等が設定される。ここで、「ＦＣコール情報」とは、コールセンターからお客様に対する申込内容を確認する電話のことである。
「取扱報告書」は、「契約者や被保険者の職業」「他社の加入状況」「健康状態や環境面での気づきの有無」等が記載される。
【０００５】
その後の手続としては、保険会社のオフィス内勤が申込書点検・入力の作業と入金点検・入力の作業が並行して行われる。
［オフィス内勤の申込書点検・入力の作業］
申込書点検・入力の作業は、「申込書等」を点検し、申込書等に申込番号のシールを貼付し、申込内容をホストコンピュータに接続する端末装置のコンピュータに入力し、「申込書内容確認票」を作成して印刷し、申込書等と「申込書内容確認票」を点検して、問題がなければ、申込書等が保険会社の本社に送付される。
【０００６】
［オフィス内勤の入金点検・入力の作業］
入金点検・入力の作業は、決済手続における入金補助票と入金の会社控等の伝表類を点検し、入金補助票と会社控をセットにして申込番号のシールを貼付し、ホストコンピュータに接続する端末装置のコンピュータに入金受付を入力し、「検証リスト」を作成して印刷し、「検証リスト」と入金補助票等を点検して、問題がなければ、「検証リスト」と入金補助票等が保険会社の本社に送付される。
【０００７】
［本社の申込書点検・入力処理／告知書点検・入力処理］
保険会社の本社では、営業所から送付された申込書等をスキャニングしてホストコンピュータに入力し、各種点検・入力を行い、また、告知書についてもスキャニングを行ってホストコンピュータに入力し、各種点検・入力を行う。
そして、申込書と告知書について簡易判定が為され、更に査決定される。
【０００８】
［本社の入金点検処理］
また、保険会社の本社では、営業所から送付された「検証リスト」と入金補助票等を点検し、クレジットカード決済の場合で問題がなければ、クレジットカード会社へ伝票を送付する。
【０００９】
尚、上記のような保険の新契約申込の作業に対して、保険申込の処理業務をシステム化して、更に、保険の申込をタブレット等の携帯端末を用いて行い、タブレット等に印刷装置を接続して契約書を印刷するものがある（特許文献１〜４）。
【００１０】
［関連技術］
尚、関連する先行技術として、特開平０９−０１６６８２号公報「契約書作成システムおよび該システムを用いた契約書の作成方法」（エリアリンクス株式会社）［特許文献１］、特開２０００−１４８８４４号公報「保険業務処理システム、保険申込書作成装置、保険申込書作成方法、およびその方法をコンピュータに実行させるプログラムを記録したコンピュータ読み取り可能な記録媒体」（日産火災海上保険株式会社）［特許文献２］、特開２００２−１７５４１６号公報「自動査定方法及び自動査定システム」（アメリカンライフインシュアランスカンパニー）［特許文献３］、特開２０１１−０６５６６２号公報「手続システムの端末装置及び記憶媒体」（大日本印刷株式会社）［特許文献４］がある。
【００１１】
特許文献１には、販売店等において即時に契約書の作成を可能としつつ、しかも安全性の契約を可能とするシステムが示されており、特に、ペン入力タブレットに印字装置を接続し、契約書を印字することが示されている。
【００１２】
特許文献２には、保険申込書等の申込書に記入される情報を迅速にかつ効率的に、電子的に処理するとともに、紙資源を有効に活用できる保険業務処理システムが示されており、特に、携帯端末装置とプリンタにより、保険申込書を作成して印刷し、お客様の捺印を受けて回収し、重要事項説明書等を顧客に渡すことが示されている。
【００１３】
特許文献３には、顧客の申し込み段階で保険内容のチェックを行い、申し込み内容を電子化することにより、査定処理を自動化する事ができる自動査定方法及び自動査定システムが示されており、特に、募集人端末で申込書が作成され、正式な申込書としてプリンタから印刷されることが示されている。
【００１４】
特許文献４には、代理店やユーザからサービス提供会社へ送信される手続データの改竄や架空の手続のねつ造を牽制することが可能な手続システムが示されており、特に、代理店端末で申込データを作成し、プリンタで紙に印刷することが示されている。
【先行技術文献】
【特許文献】
【００１５】
【特許文献１】特開平０９−０１６６８２号公報
【特許文献２】特開２０００−１４８８４４号公報
【特許文献３】特開２００２−１７５４１６号公報
【特許文献４】特開２０１１−０６５６６２号公報
【発明の概要】
【発明が解決しようとする課題】
【００１６】
しかしながら、従来の保険の新契約の申込を行う手続処理システムでは、お客様を訪問して保険の申込内容を確認した場合に、保険申込内容に変更があっても、変更された内容で契約書を携帯端末装置に接続したプリンタから印刷することになるので、保険申込者に対して保険の変更内容を容易に認識させることができないという問題点があった。
【００１７】
また、従来の方法では、保険申込内容について申込書点検・入力処理、入金点検・入力処理、告知点検・入力処理を個々別々に行われており、関連性を持たせて効率的に処理を行うことができないという問題点があった。
また、従来の方法では、保険申込の事前情報という確定していない情報から申込書点検・入力処理等により確認処理された申込情報へデータ移行し、更に、その申込情報から証券番号で管理される証券情報へのデータ移行を確実にしかも効率的に行うものとはなっていないという問題点があった。
【００１８】
［発明の目的］
本発明は上記実情に鑑みて為されたもので、保険の申込者は容易に申込内容の変更を認識でき、申込内容点検・入力処理、入金点検・入力処理、告知点検・入力処理の各点検・入力処理を関連付ける処理を行い、証券番号で管理されるデータベースへ申込情報を確実にしかも効率的に移行できる新契約申込手続処理システムを提供することを目的とする。
【課題を解決するための手段】
【００１９】
上記従来例の問題点を解決するための本発明は、携帯端末とホストコンピュータとを備える新契約申込手続処理システムであって、ホストコンピュータには、作成番号に対応付けて保険申込の事前情報を記憶する第１のデータベースと、申込番号に対応付けて確認処理された申込情報を記憶する第２のデータベースと、証券番号に対応付けて保険情報を記憶する第３のデータベースとが接続され、更に、営業所端末と本社端末が接続され、携帯端末は、ラベル印刷機器と決済機器を有する外部接続機器が接続可能であり、第１のデータベースから保険申込の事前情報を基に、作成番号に対応した意向申込内容確認画面、お客様情報確認画面、重要書類受領確認画面を作成して表示部に表示し、重要書類受領確認画面から入力された保険契約者、被保険者等の署名データを作成番号と共にホストコンピュータに送信し、保険申込の事前情報に変更があると、作成番号と変更内容のデータをホストコンピュータに送信し、変更内容を反映させた変更事項のデータをホストコンピュータから受信すると、ラベル印刷機器に変更事項を印刷させ、作成番号と入力された告知内容のデータをホストコンピュータに送信し、決済機器で決済手続が為されると、作成番号に決済番号を付与して入金内容のデータをホストコンピュータに送信し、ホストコンピュータは、携帯端末からの署名データ、変更内容のデータ、告知内容のデータ、入金内容のデータを受信して第１のデータベースに作成番号に対応付けて記憶し、営業所端末は、第１のデータベースに記憶されたデータに基づいて申込内容点検・入力処理、告知点検・入力処理、入金点検・入力処理のいずれかを開始すると、開始された点検・入力処理に係る申込情報の作成番号が第２のデータベースに登録されているかをホストコンピュータに問い合わせ、登録されていれば作成番号に対応する申込番号を取得し、登録されていなければ未使用の申込番号を取得し、取得した申込番号と点検・入力処理の内容のデータをホストコンピュータに送信し、ホストコンピュータは、営業所端末からの作成番号の登録の問い合わせに対して、当該作成番号が第２のデータベースに登録されていれば、作成番号と対応する申込番号を営業所端末に送信し、当該作成番号が第２のデータベースに登録されていなければ、作成番号と未使用の申込番号を営業所端末に送信し、営業所端末から点検・入力処理の内容データを受信し、申込番号と作成番号に対応付けて第２のデータベースに点検・入力処理の内容データを記憶し、本社端末は、申込内容点検・入力処理、告知点検・入力処理及び入金点検・入力処理が終了すると、第２のデータベースに記憶されたデータを第３のデータベースに証券情報に対応付けて保険情報として移行して記憶することを特徴とする。
【００２０】
本発明は、上記新契約申込手続処理システムにおいて、営業所端末が、第１のデータベースに記憶された、作成番号に決済番号が付与された入金内容のデータに基づいて入金点検・入力処理が開始されると、当該入金点検・入力処理に係る申込情報の作成番号が第２のデータベースに登録されているかをホストコンピュータに問い合わせ、登録されていれば作成番号に対応する申込番号を取得し、当該申込番号に決済番号を付与して点検・入力済入金内容のデータをホストコンピュータに送信し、登録されていなければ未使用の申込番号を取得し、取得した申込番号に決済番号を付与して点検・入力済入金内容のデータをホストコンピュータに送信し、ホストコンピュータが、営業所端末からの作成番号の登録の問い合わせに対して、当該作成番号が第２のデータベースに登録されていれば、作成番号と対応する申込番号を営業所端末に送信し、当該作成番号が第２のデータベースに登録されていなければ、作成番号と未使用の申込番号を営業所端末に送信し、営業所端末から決済番号が付与された点検済入金内容のデータを受信し、申込番号と作成番号に決済番号を対応付けて第２のデータベースに点検・入力済入金内容のデータを記憶することを特徴とする。
【００２１】
本発明は、上記新契約申込手続処理システムにおいて、ホストコンピュータが、第２のデータベースから第３のデータベースに保険情報として移行した場合に、第２のデータベースから申込番号に対応するデータを削除して当該申込番号を未使用にすることを特徴とする。
【００２２】
本発明は、上記新契約申込手続処理システムにおいて、ラベル印刷機器が、印刷された申込内容控に対して、お申込内容訂正（変更）控に貼付されるラベルに変更事項を印刷することを特徴とする。
【００２３】
本発明は、上記新契約申込手続処理システムにおいて、携帯端末が、告知内容のデータをホストコンピュータに送信する前に、告知内容確認・署名画面を表示部に表示し、当該告知内容確認・署名画面から入力された被保険者の署名データと告知内容のデータを作成番号と共にホストコンピュータに送信し、ホストコンピュータが、携帯端末からの告知内容のデータと署名データを受信して第１のデータベースに作成番号に対応付けて記憶することを特徴とする。
【００２４】
本発明は、上記新契約申込手続処理システムにおいて、ホストコンピュータが、第２のデータベースから第３のデータベースに保険情報として移行する場合に、お客様番号に対してお客様情報を管理するお客様データベースを申込情報の保険契約者の情報で検索して該当するお客様番号を取得し、第３のデータベースに証券番号、お客様番号、申込情報を保険情報として記憶することを特徴とする。
【００２５】
本発明は、作成番号に対応付けて保険申込の事前情報を記憶する第１のデータベースと、申込番号に対応付けて確認処理された申込情報を記憶する第２のデータベースと、証券番号に対応付けて保険情報を記憶する第３のデータベースとが接続され、携帯端末、営業所端末と本社端末と通信を行うホストコンピュータで動作する処理プログラムであって、ホストコンピュータの制御部に処理プログラムが読み込まれて実現される処理手段として、営業所端末からの作成番号の登録の問い合わせに対して、第２のデータベースに当該作成番号が登録されていれば、作成番号と対応する申込番号を営業所端末に送信し、第２のデータベースに当該作成番号が登録されていなければ、作成番号と未使用の申込番号を営業所端末に送信し、営業所端末から点検・入力処理の内容データを受信し、申込番号と作成番号に対応付けて第２のデータベースに記憶する手段を有することを特徴とする。
【００２６】
本発明は、上記処理プログラムにおいて、営業所端末からの作成番号の登録の問い合わせに対して、当該作成番号が第２のデータベースに登録されていれば、作成番号と対応する申込番号を営業所端末に送信し、当該作成番号が第２のデータベースに登録されていなければ、作成番号と未使用の申込番号を営業所端末に送信し、営業所端末から決済番号が付与された点検・入力済入金内容のデータを受信し、申込番号と作成番号に決済番号を対応付けて第２のデータベースに点検・入力済入金内容のデータを記憶する手段を有することを特徴とする。
【発明の効果】
【００２７】
本発明によれば、携帯端末が、第１のデータベースから保険申込の事前情報を基に、作成番号に対応した意向申込内容確認画面、お客様情報確認画面、重要書類受領確認画面を作成して表示部に表示し、重要書類受領確認画面から入力された保険契約者、被保険者等の署名データを作成番号と共にホストコンピュータに送信し、保険申込の事前情報に変更があると、作成番号と変更内容のデータをホストコンピュータに送信し、変更内容を反映させた変更事項のデータをホストコンピュータから受信すると、ラベル印刷機器に変更事項を印刷させ、作成番号と入力された告知内容のデータをホストコンピュータに送信し、決済機器で決済手続が為されると、作成番号に決済番号を付与して入金内容のデータをホストコンピュータに送信し、ホストコンピュータは、携帯端末からの署名データ、変更内容のデータ、告知内容のデータ、入金内容のデータを受信して第１のデータベースに作成番号に対応付けて記憶し、営業所端末は、第１のデータベースに記憶されたデータに基づいて申込内容点検・入力処理、告知点検・入力処理、入金点検・入力処理のいずれかを開始すると、開始された点検・入力処理に係る申込情報の作成番号が第２のデータベースに登録されているかをホストコンピュータに問い合わせ、登録されていれば作成番号に対応する申込番号を取得し、登録されていなければ未使用の申込番号を取得し、取得した申込番号と点検処理の内容のデータをホストコンピュータに送信し、ホストコンピュータは、営業所端末からの作成番号の登録の問い合わせに対して、当該作成番号が第２のデータベースに登録されていれば、作成番号と対応する申込番号を営業所端末に送信し、当該作成番号が第２のデータベースに登録されていなければ、作成番号と未使用の申込番号を営業所端末に送信し、営業所端末から点検・入力処理の内容データを受信し、申込番号に対応付けて第２のデータベースに点検・入力処理の内容データを記憶し、本社端末は、申込内容点検・入力処理、告知点検・入力処理及び入金点検・入力処理が終了すると、第２のデータベースに記憶されたデータを第３のデータベースに証券情報に対応付けて保険情報として移行して記憶する新契約申込手続処理システムとしているので、保険の申込者は容易に申込内容の変更を認識でき、申込内容点検・入力処理、入金点検・入力処理、告知点検・入力処理の各点検・入力処理を第２のデータベースで申込番号により関連付ける処理を行い、証券番号で管理される第３のデータベースへ申込情報を証券情報として確実にしかも効率的に移行できる効果がある。
【図面の簡単な説明】
【００２８】
【図１】本発明の実施の形態に係る新契約申込手続処理システムの概略構成図である。
【図２】携帯端末の構成ブロック図である。
【図３】処理手段とデータの関係を示す図である。
【図４】意向申込内容確認画面の概略を示す図である。
【図５】お客様情報確認画面の概略を示す図である。
【図６】重要書類受領確認画面の概略を示す図である。
【図７】保険契約者、被保険者、商品名等の変更ラベルを示す図である。
【図８】主契約・特約等の変更ラベルを示す図である。
【図９】特約の続きとその他特約・特則等の変更ラベルを示す図である。
【図１０】必ずお読みくださいの変更ラベルを示す図である。
【図１１】解約返還金額表の変更ラベルを示す図である。
【図１２】告知内容入力画面の概略を示す図である。
【図１３】営業所端末の構成ブロック図である。
【図１４】営業所端末の各処理手段の概要を示す図である。
【図１５】申込内容点検・入力処理手段における配番処理のフローチャートである。
【図１６】入金点検・入力処理手段における配番処理のフローチャートである。
【図１７】ホストコンピュータでの配番処理のフローチャートである。
【発明を実施するための形態】
【００２９】
本発明の実施の形態について図面を参照しながら説明する。
［実施の形態の概要］
本発明の実施の形態に係る新契約申込手続処理システムは、タブレット等の携帯端末とホストコンピュータとを備え、それらがネットワークを介して接続し、ホストコンピュータには、作成番号に対応付けて保険申込の事前情報を記憶する第１のデータベースと、申込番号に対応付けて確認処理された申込情報を記憶する第２のデータベースと、証券番号に対応付けて保険情報を記憶する第３のデータベースとを備え、携帯端末は、申込書等の電子データを記憶し、ラベル印刷機器とカード決済機器が接続可能であり、お客様先で保険申込では「申込書」「意向確認書」を印刷することなく携帯端末の画面表示で確認作業を行い、保険申込の事前情報に変更があれば、その変更内容を携帯端末からホストコンピュータに通知し、ホストコンピュータから変更事項に関する情報を携帯端末が受信すると、その変更事項をラベル印刷機器にラベル印刷させ、お申込内容訂正（変更）控に貼付可能とし、カード決済機器で決済されて保険入金があると、携帯端末は入金情報をホストコンピュータに送信し、保険の申込情報について申込内容点検・入力処理、入金点検・入力処理、告知点検・入力処理のいずれかが開始されると、申込番号の配番処理を各点検・入力処理に関連付けて行い、第２のデータベースに保険の申込情報を記憶し、第２のデータベースにおける保険の申込情報について点検が為されると、証券番号が付与されて第３のデータベースに保険情報として記憶されるものである。
【００３０】
これにより、上記システムでは、お客様先で保険申込の事前情報に変更がある場合に、変更内容をホストコンピュータに通知して変更事項に関する情報をホストコンピュータから受信し、ラベル印刷機器にラベル印刷してお申込内容訂正（変更）控に貼付可能としているので、保険の申込者は容易に申込内容の変更を認識できる効果がある。
【００３１】
また、上記システムでは、保険申込内容について申込内容点検・入力処理、入金点検・入力処理、告知点検・入力処理が別々に行われたとしても、各点検・入力処理を関連付ける配番処理を行い、全ての点検・入力処理が為されると第２のデータベースに保険の申込情報を記憶するようにしているので、第１のデータベースから第２のデータベースへの保険の申込情報の移行を確実にしかも効率的に行うことができる効果がある。
【００３２】
［本システム：図１］
本発明の実施の形態に係る新契約申込手続処理システム（本システム）について図１を参照しながら説明する。図１は、本発明の実施の形態に係る新契約申込手続処理システムの概略構成図である。
本システムは、図１に示すように、携帯端末１と、基地局２ａ，２ｂと、公衆ネットワーク３ａと、社内ネットワーク３ｂと、営業所端末４と、本社端末５と、ホストコンピュータ１０と、第１のデータベース（第１のＤＢ）２０と、第２のデータベース（第２のＤＢ）３０と、第３のデータベース（第３のＤＢ）４０とを有している。
【００３３】
尚、実際は、公衆ネットワーク３ａには複数の基地局２ａが接続し、営業職員が個々に携帯端末１を保有しているので、複数の携帯端末１が存在する。
また、社内ネットワーク３ｂに接続する営業所端末４も営業所毎に１台又は複数台設けられており、本社端末５も作業内容及び作業人員に応じて複数台設けられている。
【００３４】
［本システムの各部］
次に、本システムの各部について具体的に説明する。
［携帯端末１］
携帯端末１は、タブレット等の情報処理を行う端末装置（コンピュータ）であり、ラベル印刷機器とカード決済機器を統合した外部接続機器が接続可能となっている。
携帯端末１は、お客様先では基地局２ａを介して公衆ネットワーク３ａに接続し、更に、公衆ネットワーク３ａに接続するホストコンピュータ１０にアクセスする。
また、携帯端末１は、営業所内では基地局２ｂを介して社内ネットワーク３ｂに接続し、社内ネットワーク３ｂに接続するホストコンピュータ１０にアクセスする。
携帯端末１の構成及び動作の詳細は後述する。
【００３５】
［基地局２ａ］
基地局２ａは、公衆ネットワーク３ａに接続し、携帯端末１と無線通信を行う。基地局２ａは、実際には複数設けられている。
［基地局２ｂ］
基地局２ｂは、社内ネットワーク３ｂに接続し、携帯端末１と無線通信を行う。基地局２ｂは、営業所毎に一つ又は複数設けられている。
【００３６】
［公衆ネットワーク３ａ］
公衆ネットワーク３ａは、携帯端末１とホストコンピュータ１０との間で通信を行う公的なネットワークであり、携帯電話会社が提供する電話回線のネットワークであってもよいし、インターネットに接続する公衆無線ＬＡＮ（Local Area Network）のネットワークであってもよい。
［社内ネットワーク３ｂ］
社内ネットワーク３ｂは、携帯端末１とホストコンピュータ１０との間で通信を行う私的なネットワークであり、社内ＬＡＮのネットワーク等の専用回線が用いられる。
【００３７】
［営業所端末４］
営業所端末４は、社内ネットワーク３ｂに接続するコンピュータ装置であり、申込内容の点検・入力、入金点検・入力、告知点検・入力の処理を行う。営業所端末４の詳細は後述する。
［本社端末５］
本社端末５は、社内ネットワーク３ｂに接続するコンピュータ装置であり、本社における保険申込の各種点検・入力処理を行う。本社端末５の詳細は後述する。
【００３８】
［ホストコンピュータ１０］
ホストコンピュータ１０は、公衆ネットワーク３ａと社内ネットワーク３ｂに接続すると共に、第１のＤＢ２０、第２のＤＢ３０、第３のＤＢ４０が接続されている。
ホストコンピュータ１０は、携帯端末１と公衆ネットワーク３ａ又は社内ネットワーク３ｂを介してデータのやり取りを行い、営業所端末４及び本社端末５と社内ネットワーク３ｂを介してデータのやり取りを行う。
【００３９】
ホストコンピュータ１０は、携帯端末１により新契約申込の事前情報を第１のＤＢ２０に登録し、営業所端末４により新契約案件について申込内容点検・入力処理、告知点検・入力処理、入金点検・入力処理が為されると、第２のＤＢ３０に点検済・入力申込内容データ、点検・入力済告知内容データ、点検・入力済入金内容データ（まとめて「点検・入力済申込内容情報」）を記憶し、本社端末５により全点検処理が為されると、第３のＤＢ４０に全点検処理等が為された点検・入力済申込内容データ、点検・入力済告知内容データ、点検・入力済入金内容データを保険情報に編集して記憶する。上記各処理の詳細は後述する。
尚、ホストコンピュータ１０は、一つのコンピュータで実現しているが、複数のコンピュータで分散して処理を行うようにしてもよい。
【００４０】
［第１のデータベース（第１のＤＢ）２０］
第１のデータベース（第１のＤＢ）２０は、営業所の営業職員によって携帯端末１から保険の新契約申込の事前情報を作成番号に対応付けて記憶する記憶装置である。事前情報としては、営業職員がお客様から聞き取った保険の新契約申込予定者の氏名、住所、生年月日、電話番号、更に保険内容等の情報である。従って、第１のＤＢ２０は、保険の新契約申込の事前情報に関するデータベースである。
【００４１】
［第２のデータベース（第２のＤＢ）３０］
第２のデータベース（第２のＤＢ）３０は、第１のＤＢ２０における新契約の事前情報に対して、営業所端末４で申込内容点検・入力処理、告知点検・入力処理、入金点検・入力処理が為されると、申込番号に作成番号を対応付け、点検・入力済申込内容情報を一時的に記憶する。
第２のＤＢ３０は、第１のＤＢ２０から第３のＤＢ４０に適正な処理を行った上でデータを移行するために用いられ、保険の新契約申込情報を管理するデータベースである。
【００４２】
第２のＤＢ３０における申込番号は、有限の番号が用意されており、使用されていない申込番号を探して点検・入力済申込内容情報を対応付け、第３のＤＢ４０にデータが移行すると、その点検・入力済申込内容情報が削除され、申込番号が未使用となる。
また、第２のＤＢ３０で申込番号を使用されていても、第３のＤＢ４０に移行することなく特定期間経過した場合には、点検・入力済申込内容情報を削除し、その申込番号を未使用とする。
【００４３】
［第３のデータベース（第３のＤＢ）４０］
第３のデータベース（第３のＤＢ）４０は、本社端末５で全点検処理が為されると、第２のＤＢ３０からデータを移行して、証券番号に対応付けられた保険情報を記憶する。
つまり、第３のＤＢ４０は、保険申込情報が点検されて、最終的に証券番号が付されて保険情報として編集されて記憶されるものである。
【００４４】
尚、上記ＤＢの他に、お客様番号に対してお客様情報を管理するお客様データベース（お客様ＤＢ）を備えている。第２のＤＢ３０から第３のＤＢ４０に移行する際に、ホストコンピュータ１０は、お客様ＤＢを参照し、保険申込情報の保険契約者の情報によって該当するお客様番号を検索して取得し、第３のＤＢ４０に証券番号、お客様番号、保険申込情報を保険情報として記憶し、保険情報を証券番号で管理するようになっている。
【００４５】
更に、本システムにおける携帯端末１、営業所端末４、本社端末５、ホストコンピュータ１０について具体的に説明する。
［携帯端末１：図２］
携帯端末１の具体的な構成及び動作について図２を参照しながら説明する。図２は、携帯端末の構成ブロック図である。
携帯端末１は、図２に示すように、制御部１１と、記憶部１２と、表示部１３と、入力部１４と、通信部１５と、インタフェース部１６とを備え、インタフェース部１６にはラベル印刷機器１７ａとカード決済機器１７ｂを有する外部接続機器１７が接続可能となっている。
【００４６】
［制御部１１：図３］
制御部１１は、記憶部１２に記憶する処理プログラムを読み込んで、各種処理手段を実現可能とする。
実現される処理手段は、図３に示すように、保障設計書作成処理手段、申込書作成処理手段、申込手続処理手段、保険申込内容変更処理手段、告知確認処理手段、入金処理手段、契約入力処理手段等である。図３は、処理手段とデータの関係を示す図である。尚、各手段の具体的内容については後述する。
【００４７】
尚、記憶部１２に格納された処理プログラムを制御部１１が読み込んで、上記各手段を実現しているが、公衆ネットワーク３ａと社内ネットワーク３ｂに接続するホストコンピュータ１０に携帯端末１１がアクセスして、ホストコンピュータ１０で処理プログラムを実行し、実行結果を携帯端末１１の表示部１３に表示し、また入力部１４からの指示をホストコンピュータ１０に送信するようにしてもよい。この場合、ホストコンピュータ１０の記憶部に処理プログラムが格納され、ホストコンピュータ１０の制御部で処理プログラムを実行する。
携帯端末１の処理をホストコンピュータ１０に行わせるようにしたが、ホストコンピュータ１０とは別のサーバで処理させるようにし、そのサーバがホストコンピュータ１０にアクセスする形態であってもよい。
【００４８】
［記憶部１２］
記憶部１２は、処理プログラムを記憶すると共に、後述する「意向申込内容確認画面」「お客様情報確認画面」「重要書類受領確認画面」「告知内容入力画面」「告知内容確認・署名画面」「決済手続画面」を表示するためのデータを記憶している。
【００４９】
［表示部１３，入力部１４，通信部１５，インタフェース部１６］
表示部１３は、上記画面を表示する。
入力部１４は、表示画面から入力可能なタッチスクリーンで、「重要書類受領確認画面」「告知内容確認・署名画面」で被保険者の自筆の署名を入力する。
通信部１５は、基地局２ａ，２ｂと無線通信を行う。
インタフェース部１６は、外部接続機器１７に接続するためのインタフェース部である。
【００５０】
［外部接続機器１７］
外部接続機器１７は、ラベル印刷機器１７ａとカード決済機器１７ｂとを備えており、携帯端末１のインタフェース部１６に接続される。
ラベル印刷機器１７ａは、保険申込内容に変更があった場合に、変更に関する事項をラベル印刷する装置である。ラベルは、表面に保険申込内容の変更事項が印刷され、裏面は粘着面に剥離紙が貼り付けられている。当該ラベルは、紙媒体のお申込内容訂正（変更）控に貼付されるものである。
【００５１】
カード決済機器１７ｂは、クレジットカード又はキャッシュカードの決済を行う装置であり、クレジットカード又はキャッシュカードの情報を読み取り、暗証番号を受け付け、携帯端末１に出力する。クレジットカード又はキャッシュカードの情報等は、携帯端末１からホストコンピュータ１０に送信される。
【００５２】
［携帯端末１の処理手段］
図３に示す実現される処理手段として、保障設計書作成処理手段、申込書作成処理手段、申込手続処理手段、保険申込内容変更処理手段、告知確認処理手段、入金処理手段、契約入力処理手段等について具体的に説明する。
尚、各手段で取り扱われるデータは、作成番号によって関連付けられている。
【００５３】
［保障設計書作成処理手段］
保障設計書作成処理手段は、第１のＤＢ２０のデータを用いて保険申込予定者の「保障設計書」データを作成番号に対応付けて作成する。当該データを基にして「保障設計書」が印刷され、「保障設計書」を持参してお客様を訪問する。
【００５４】
［申込書作成処理手段］
申込書作成処理手段は、第１のＤＢ２０のデータに基づいて保険申込予定者の「意向申込内容確認画面」「お客様情報確認画面」「重要書類受領確認画面」のデータを作成番号に対応付けて生成し、「申込控」のデータを作成する。そして、「申込控」のデータを印刷して、「申込控」と印刷物である「ご契約のしおり／注意喚起情報」を持参してお客様を訪問する。
ホストコンピュータ１０は、携帯端末１からの要求により、「意向申込内容確認画面」等のデータを作成するのに必要なデータを第１のＤＢ２０から読み込んで、携帯端末１に提供する。
【００５５】
ここで、「意向申込内容確認画面」「お客様情報確認画面」「重要書類受領確認画面」について図４〜６を参照しながら説明する。図４は、意向申込内容確認画面の概略を示す図であり、図５は、お客様情報確認画面の概略を示す図であり、図６は、重要書類受領確認画面の概略を示す図である。
【００５６】
［意向申込内容確認画面：図４］
意向申込内容確認画面は、図４に示すように、保険契約を申し込む人の意向（ニーズ）と保険商品の内容が一致しているかどうかを確認する画面である。
具体的には、保険の種類（主契約・特約の保障内容）、保険金額（死亡・高度障害・給付金）、保険期間、保険料、払込期間、払込方法、配当金等を理解しているか、保険商品が総合的にお客様の意向に沿ったものであるかを確認するようになっている。
【００５７】
［お客様情報確認画面：図５］
お客様情報確認画面は、お客様情報として、保険契約者、被保険者、受取人、指定代理請求人等の情報を表示して、お客様に内容を確認してもらうようになっている。
尚、図５のお客様情報確認画面は、保険契約者の情報として、氏名、性別、生年月日、住所、電話番号等のお客様の情報を確認するための画面となっている。
【００５８】
［重要書類受領確認画面：図６］
重要書類受領確認画面は、図６に示すように、図４の意向申込内容確認画面、図５のお客様情報確認画面での確認作業が行われ、「ご契約のしおり」、「申込控」を受領した場合に、保険契約者が署名してもらう画面である。携帯端末１の表示画面はタッチパネルとなっており、携帯端末１用のペン等を用いて書名欄に契約者が自筆で署名することができる。
【００５９】
［申込手続処理手段］
保険申込予定者のお客様先を訪問し、印刷して持参した「保障設計書」を説明して提案を行い、更に、申込書作成処理手段で生成した「意向申込内容確認画面」を携帯端末１の表示部１３に表示してお客様との意向申込内容の確認作業を行い、「お客様情報確認画面」を表示部１３に表示してお客様情報の確認作業を行って、「重要書類受領確認画面」を表示部１３に表示して、被保険者の自筆の署名を入力部１４から入力してもらう。申込書作成処理手段は、被保険者の署名データをホストコンピュータ１０に送信する。署名データは暗号化することが望ましい。
ここで、申込手続処理手段は、保険申込予定者の「意向申込内容確認画面」「お客様情報確認画面」「重要書類受領確認画面」の表示を行い、「重要書類受領確認画面」から署名の入力を受け付け、作成番号に対応付けて記憶部１２に記憶する処理を行う。
【００６０】
［保険申込内容変更処理手段］
申込手続処理手段で、意向申込内容、お客様情報、申込控に誤りがあると、保険申込内容変更処理手段は、携帯端末１からホストコンピュータ１０に作成番号を用いてアクセスして変更内容のデータを送信し、第１のＤＢ２０に記憶されている保険申込の事前情報を変更内容のデータにより訂正することを依頼する。
保険申込の事前情報の訂正をホストコンピュータ１０が行うと、保険申込内容の変更事項のデータを作成番号と共に携帯端末１に送信する。
保険申込内容変更処理手段は、保険申込内容の変更事項のデータを受信して記憶し、「意向申込内容確認画面」「お客様情報確認画面」等に変更事項を反映させて修正し、携帯端末１に接続する外部接続機器１７のラベル印刷機器１７ａに当該データをラベル形式で出力してラベル印刷を行う。ラベル印刷の際には、作成番号が訂正対象書類のシリアル番号として印刷される。
【００６１】
［ラベル印刷例：図７〜１１］
保険内容の変更に関するラベル印刷の例について図７〜１１を参照しながら説明する。図７は、保険契約者、被保険者、商品名等の変更ラベルを示す図であり、図８は、主契約・特約等の変更ラベルを示す図であり、図９は、特約の続きとその他特約・特則等の変更ラベルを示す図であり、図１０は、必ずお読みくださいの変更ラベルを示す図であり、図１１は、解約返還金額表の変更ラベルを示す図である。
【００６２】
各ラベル印刷には、「保障設計書（契約概要）」又は「申込控」に記載されているシリアル番号と同じシリアル番号が印刷される。
このシリアル番号によって、誤りなく訂正すべき「保障設計書（契約概要）」又は「申込控」に対応付けてお申込内容訂正（変更）控に変更ラベルを貼付することができる。
【００６３】
図７のラベル印刷例では、保険契約者の氏名、性別、生年月日、被保険者の氏名、性別、生年月日、契約年齢、商品名、配当金支払方法、保険料払込方法、保険料等が印刷される。
図８のラベル印刷例では、保険の種類及び特約について、その内容、保険期間、保険金額、保険料等が印刷される。
【００６４】
図９のラベル印刷例では、特約の続き、合計死亡保険金額、その他特約・特則等が印刷される。
図１０のラベレル印刷例では、「必ずお読みください」の注意事項が印刷される。この「必ずお読みください」の注意事項は、保険契約内容の変更に応じて内容が変更となる。
図１１のラベル印刷例では、解約返還金額表が印刷される。解約返還金額表も保険契約内容の変更に応じて内容が変更となる。
【００６５】
［告知確認処理手段］
告知確認処理手段は、記憶部１２から告知内容入力画面データを読み込み、「告知内容入力画面」を表示部１３に表示し、告知内容の入力を受け付け、受け付けた告知内容に基づいて告知内容確認・署名画面データを生成し、「告知内容確認・署名画面」を表示部１３に表示して、被保険者の署名を受け付ける処理を行う。
告知確認処理手段は、「告知内容入力画面」で入力され、「告知内容確認・署名画面」で受け付けたデータをホストコンピュータ１０に送信する。
【００６６】
［告知内容入力画面：図１２］
「告知内容入力画面」は、図１２に示すように、告知内容を入力可能な画面となっており、被保険者に告知内容を記入してもらう。図１２は、告知内容入力画面の概略を示す図である。
告知内容は、例えば、過去５年以内の受診・入院・手術等について回答するものであり、該当する病名があれば、その病名を記入し、初めて受診した年月を記入する。
【００６７】
［告知内容確認・署名画面］
告知内容の入力が完了すると、告知確認処理手段は、「告知内容確認・署名画面」を表示する。尚、「告知内容確認・署名画面」は、図６の「重要書類受領確認画面」と同様の画面が表示される。
そして、「告知内容確認・署名画面」で、署名を受け付ける。
【００６８】
［入金処理手段］
入金処理手段は、決済手続の画面データを記憶部１２から読み出し、表示部１３に「決済手続の画面」を表示し、決済手続を促す。
決済手続は、外部接続機器１７のカード決済機器１７ｂを用いてキャッシュカードやクレジットカードのデータを読み取り、署名が必要であれば、携帯端末１の表示部１３で署名を行う。
【００６９】
入金処理手段は、決済手続が為されると、作成番号に対して決済番号を付与し、入金内容のデータをホストコンピュータ１０に送信すると共に記憶部１２に記憶し、外部接続機器１７のラベル印刷機器１７ａを用いて入金処理のお客様用の控を印刷する。
ホストコンピュータ１０では、第１のＤＢ２０に作成番号に対応付けて決済番号を記憶する。
【００７０】
［契約入力処理手段］
契約入力処理手段は、記憶部１２から「取扱報告内容の入力画面」のデータを読み込み、当該データを表示部１３の表示画面に表示し、取扱報告内容を入力し、営業職員が表示画面で署名を行って、作成番号に対応付けて取扱報告内容のデータと署名データをホストコンピュータ１０に送信すると共に記憶部１２に記憶する。尚、「取扱報告内容の入力画面」を生成するためのデータはホストコンピュータ１０から提供される。
取扱報告内容とは、契約者や被保険者の職業、他社の加入状況、健康状態や環境面での気づきの有無等をいう。
また、契約入力処理手段では、取扱報告書で気づきがなければ、契約入力内容に従って取扱報告内容の入力が為され、次の工程に進むことになる。気づきがあれば、オフィス内勤が、印刷してある取扱報告補足書に記入する。
【００７１】
契約入力処理の終了後に、営業所のオフィス長が携帯端末１を用いて取扱内容に問題がないかを確認し、問題がなければ、オフィス長が署名を表示部１３の表示画面で行い、作成番号に対応付けて署名データをホストコンピュータに送信する。
【００７２】
［営業所端末４の構成及び動作：図１３］
次に、本システムにおける営業所端末４の構成及び動作について図１３を参照しながら説明する。図１３は、営業所端末の構成ブロック図である。
営業所端末４は、図１３に示すように、制御部４１と、記憶部４２と、インタフェース部４３とを備え、インタフェース部４３に社内ネットワーク３ｂ、表示部４４、入力部４５が接続されている。
尚、以下の各処理手段を営業所端末４で実現しているが、携帯端末１を用いて実現してもよい。
【００７３】
［営業所端末４の処理手段：図１４］
営業所端末４の制御部４１は、記憶部４２に記憶された処理プログラムを読み込んで、図１４に示すように、申込内容点検・入力処理手段、告知点検・入力処理手段、入金点検・入力処理手段を実現可能としている。尚、申込内容点検・入力処理、告知点検・入力処理、入金点検・入力処理は並列に行われるものであり、処理の順位は定まっていない。図１４は、営業所端末の各処理手段の概要を示す図である。
【００７４】
［申込内容点検・入力処理手段］
申込内容点検・入力処理手段は、申込手続処理手段で申込手続が完了した保険契約について、ホストコンピュータ１０にアクセスして第１のＤＢ２０から申込内容のデータを読み込み、申込内容点検画面データを生成し、当該申込内容点検画面を表示部４３に表示させて、オフィス内勤が申込内容を点検し点検内容を入力する点検・入力処理を行い、点検・入力済申込内容データを記憶部４２に記憶する。
【００７５】
点検・入力処理を終了すると、申込内容点検・入力処理手段は、申込書内容確認票のデータを作成し、社内ネットワーク３ｂに接続するプリンタで印刷し、点検済申込内容データをホストコンピュータ１０に送信する。ホストコンピュータ１０は、点検・入力済申込内容データを受信すると、第２のＤＢ３０に申込番号に対応付けて記憶する。
申込内容点検・入力処理手段は、点検・入力処理において、申込内容の配番処理を行う。配番処理の具体的内容については後述する。
【００７６】
［告知点検・入力処理手段］
告知点検・入力処理手段は、告知確認処理手段で確認された保険契約について、ホストコンピュータ１０にアクセスして第１のＤＢ２０から告知内容のデータを読み込み、告知点検画面データを生成し、当該告知点検画面を表示部４３に表示させて、オフィス内勤が告知内容を点検し点検内容を入力する点検・入力処理を行い、点検・入力済告知内容データを記憶部４２に記憶する。点検・入力処理を終了すると、告知点検・入力処理手段は、点検・入力済告知内容データをホストコンピュータ１０に送信する。ホストコンピュータ１０は、点検・入力済告知内容データを受信すると、第２のＤＢ３０に申込番号に対応付けて記憶する。
告知点検・入力処理手段は、点検・入力処理において、申込内容の配番処理を行う。
【００７７】
［配番処理（１）：図１５］
ここで、申込内容点検・入力処理手段と告知点検・入力処理手段における配番処理について図１５を参照しながら説明する。図１５は、申込内容点検・入力処理手段における配番処理のフローチャートである。尚、図１５では、申込内容点検・入力処理手段における配番処理を説明するが、告知点検・入力処理手段における配番処理も同様の処理となっている。
【００７８】
申込内容点検・入力処理手段は、図１５に示すように、ホストコンピュータ１０にアクセスし（Ｓ１１）、第２のＤＢ３０に当該点検案件の作成番号が登録されているか否かを問い合わせる（Ｓ１２）。ホストコンピュータ１０は、その問い合わせに対して第２のＤＢ３０を検索し、該当する作成番号が登録されているか否かを回答する。この回答には、作成番号が登録されている場合には、対応する申込番号を含めるものとする。
【００７９】
申込内容点検・入力処理手段は、ホストコンピュータ１０からの回答を受信し（Ｓ１３）、作成番号が登録されているか否かを判定する（Ｓ１４）。作成番号が登録されていれば（Ｙｅｓの場合）、作成番号に対応する申込番号を読み取り（Ｓ１５）、申込内容点検画面に表示させる（Ｓ１６）。
【００８０】
また、判定処理Ｓ１４において、点検案件の作成番号が第２のＤＢ３０に登録されていない場合（Ｎｏの場合）、申込内容点検・入力処理手段は、ホストコンピュータ１０に未使用の申込番号を要求する（Ｓ１７）。
ホストコンピュータ１０は、その要求に対して第２のＤＢ３０を検索し、使用されていない申込番号を検索して、その申込番号に作成番号を対応付けて、申込番号を営業所端末４に送信する。
【００８１】
申込内容点検・入力処理手段は、ホストコンピュータ１０から申込番号を受信する（Ｓ１８）と、申込内容点検画面に表示させる（Ｓ１６）。
以上のようにして配番処理（１）が為される。
【００８２】
［入金点検・入力処理手段］
入金点検・入力処理手段は、入金処理手段で決済手続が完了した保険契約について、ホストコンピュータ１０にアクセスして第１のＤＢ２０から決済内容のデータを読み込み、入金点検画面データを生成し、当該入金点検画面を表示部４３に表示させて、オフィス内勤が入金内容を点検し点検内容を入力する点検・入力処理を行い、点検・入力済入金内容データを記憶部４２に記憶する。
点検・入力処理を終了すると、入金点検・入力処理手段は、検証リストのデータを作成し、社内ネットワーク３ｂに接続するプリンタで印刷し、点検・入力済入金内容データをホストコンピュータ１０に送信する。ホストコンピュータ１０は、点検・入力済入金内容データを受信すると、第２のＤＢ３０に申込番号に対応付けて記憶する。
入金点検・入力処理手段は、点検・入力処理において、申込内容の配番処理を行う。
【００８３】
［配番処理（２）：図１６］
次に、入金点検・入力処理手段における配番処理について図１６を参照しながら説明する。図１６は、入金点検・入力処理手段における配番処理のフローチャートである。
入金点検・入力処理手段は、図１６に示すように、ホストコンピュータ１０にアクセスし（Ｓ２１）、第２のＤＢ３０に当該点検案件の作成番号が登録されているか否かを問い合わせる（Ｓ２２）。ホストコンピュータ１０は、その問い合わせに対して第２のＤＢ３０を検索し、該当する作成番号が登録されているか否かを回答する。この回答には、作成番号が登録されている場合には、対応する申込番号を含める。
【００８４】
入金点検・入力処理手段は、ホストコンピュータ１０からの回答を受信し（Ｓ２３）、作成番号が登録されているか否かを判定する（Ｓ２４）。作成番号が登録されていれば（Ｙｅｓの場合）、ホストコンピュータ１０に対して、作成番号に対応する申込番号に決済番号を対応付けるよう要求する（Ｓ２５）。そして、作成番号に対応する申込番号を読み取り（Ｓ２６）、入金点検画面に表示させる（Ｓ２７）。
【００８５】
また、判定処理Ｓ２４において、点検案件の作成番号が第２のＤＢ３０に登録されていない場合（Ｎｏの場合）、入金点検・入力処理手段は、ホストコンピュータ１０に未使用の申込番号を要求する（Ｓ２８）。
ホストコンピュータ１０は、その要求に対して第２のＤＢ３０を検索し、使用されていない申込番号を検索して、その申込番号に作成番号を対応付けて、申込番号を営業所端末４に送信する。
【００８６】
入金点検・入力処理手段は、ホストコンピュータ１０から申込番号を受信する（Ｓ２９）と、入金点検・入力処理手段は、ホストコンピュータ１０に対して、当該申込番号に決済番号を対応付けるよう要求する（Ｓ３０）。ホストコンピュータ１０は、第２のＤＢ３０で申込番号に決済番号を対応付ける。
そして、入金点検・入力処理手段は、入金点検画面に申込番号を表示させる（Ｓ２７）。
以上のようにして配番処理（２）が為される。
【００８７】
［本社端末５の構成及び動作］
次に、本システムにおける本社端末５の構成及び動作について説明する。
本社端末５は、営業所端末４で申込内容点検処理、告知点検処理、入金点検処理が為されて、第２のＤＢ３０に点検済申込内容データ、点検済告知内容データ、点検済入金内容データが記憶されると、本社職員によって全点検が行われる。
全点検とは、申込の親権者の自署、申込の続柄「その他」の妥当性、取扱報告書の取扱自署等を点検するものである。
【００８８】
具体的には、本社端末５は、ホストコンピュータ１０にアクセスし、第２のＤＢ３０に記憶されているデータについて点検処理を行い、点検が正常に終了すると、点検終了した申込番号のデータをホストコンピュータ１０に送信する。
【００８９】
［ホストコンピュータ１０の動作］
ホストコンピュータ１０は、大規模なデータ処理を行うためのコンピュータであり、制御部と、記憶部と、インタフェース部を備えている。
インタフェース部には、公衆ネットワーク３ａと社内ネットワーク３ｂに接続すると共に、第１のＤＢ２０、第２のＤＢ３０、第３のＤＢ４０に接続している。
【００９０】
ホストコンピュータ１０は、記憶部に記憶されている処理プログラムを制御部に読み込んで様々な処理を実現可能としている。
ホストコンピュータ１０の制御部で実現される処理手段としては、携帯端末１に対応する手段と、営業所端末４に対応する手段と、本社端末５に対応する手段とがある。
【００９１】
［携帯端末１に対応する手段］
携帯端末１に対応する手段としては、保険申込予定内容の登録処理手段と、申込書作成対応手段と、申込手続処理対応手段と、保険申込内容変更対応手段と、告知情報受付手段と、入金情報受付手段と、契約入力対応手段等とを有している。
【００９２】
［保険申込予定内容の登録処理手段］
保険申込予定内容の登録処理手段は、携帯端末１から送信された保険申込予定者のデータに作成番号を付して第１のＤＢ２０に記憶すると共に、申込予定の保険内容のデータも作成番号に対応付けて第１のＤＢ２０に記憶する。
【００９３】
［申込書作成対応手段］
申込書作成対応手段は、第１のＤＢ２０に登録されたデータに基づいて作成番号に対応する「保障設計書」データ、「意向申込内容確認画面」データ、「お客様情報確認画面」データ、「重要書類受領確認画面」データ、「申込控」データ等を作成するために必要なデータを第１のＤＢ２０から読み込んで、携帯端末１に送信する。
【００９４】
［申込手続処理対応手段］
申込手続処理対応手段は、携帯端末１の「重要書類受領確認画面」で被保険者が入力した署名データを携帯端末１から受信し、作成番号に対応付けて第１のＤＢ２０に登録する。
【００９５】
［保険申込内容変更対応手段］
保険申込内容変更対応手段は、携帯端末１から申込内容の変更（訂正）の依頼があると、変更内容のデータを受信し、第１のＤＢ２０の対応する作成番号の申込内容データを変更し、保険申込内容の変更事項のデータを携帯端末１に送信する。
【００９６】
［告知情報受付手段］
告知情報受付手段は、携帯端末１の「告知内容入力画面」で入力された告知内容のデータと、「告知内容確認・署名画面」で入力された署名データを携帯端末１から受信し、作成番号に対応付けて第１のＤＢ２０に登録する。
【００９７】
［入金情報受付手段］
入金情報受付手段は、携帯端末１から作成番号に決済番号を付与された入金内容データを受信し、作成番号に対応付けて第１のＤＢ２０に登録する。
【００９８】
［契約入力対応手段］
契約入力対応手段は、「取扱報告内容の入力画面」データを作成するのに必要なデータを第１のＤＢ２０から読み込み、携帯端末１に送信し、携帯端末１からの取扱報告内容データと営業職員の署名データを受信し、作成番号に対応付けて第１のＤＢ２０に登録する。
【００９９】
［営業所端末４に対応する手段］
営業所端末４に対応する手段として、申込内容点検対応手段と、告知点検対応手段と、入金点検対応手段とを有している。
［申込内容点検対応手段］
申込内容点検対応手段は、営業所端末４からの要求により申込内容点・入力検処理に必要な保険の新契約申込データを提供し、営業所端末４からの点検・入力済申込内容データを受信して申込番号に対応付けて第２のＤＢ３０に記憶する。
点検・入力済申込内容データを申込番号に対応付ける配番処理については後述する。
【０１００】
［告知点検対応手段］
告知点検対応手段は、営業所端末４からの要求により告知点検・入力処理に必要な保険の告知内容データを提供し、営業所端末４からの点検・入力済告知内容データを受信して申込番号に対応付けて第２のＤＢ３０に記憶する。
点検・入力済告知内容データを申込番号に対応付ける配番処理については後述する。
【０１０１】
［入金点検対応手段］
入金点検対応手段は、営業所端末４からの要求により入金点検・入力処理に必要な保険の決済内容データを提供し、営業所端末４からの点検・入力済入金内容データを受信して申込番号に対応付けて第２のＤＢ３０に記憶する。
点検・入力済入金内容データを申込番号に対応付ける配番処理については後述する。
【０１０２】
［ホストコンピュータにおける配番処理：図１７］
次に、ホストコンピュータ１０における配番処理について図１７を参照しながら説明する。図１７は、ホストコンピュータでの配番処理のフローチャートである。
ホストコンピュータ１０の制御部は、営業所端末４から第２のＤＢ３０に作成番号が登録されているか否かの問い合わせがあるか判定し（Ｓ３１）、問い合わせがなければ（Ｎｏの場合）、判定処理Ｓ３１を繰り返す。
【０１０３】
営業所端末４からの問い合わせがあった場合（Ｙｅｓの場合）、第２のＤＢ３０に作成番号が登録されているか否かを判定する（Ｓ３２）。
第２のＤＢ３０に作成番号が登録されていれば（Ｙｅｓの場合）、ホストコンピュータ１０の制御部は、作成番号と対応する申込番号を営業所端末４に通知し（Ｓ３３）、処理を終了する。
【０１０４】
第２のＤＢ３０に作成番号が登録されていなければ（Ｎｏの場合）、ホストコンピュータ１０の制御部は、作成番号が第２のＤＢ３０に登録されていないことを通知する（Ｓ３４）。更に、申込番号の要求（配番要求）が営業所端末４からあるか否かを判定し（Ｓ３５）、要求がなければ（Ｎｏの場合）、判定処理Ｓ３１に戻る。
判定処理Ｓ３５で、営業所端末４から申込番号の要求があれば（Ｙｅｓの場合）、ホストコンピュータ１０の制御部は、未使用の申込番号を検索して、検索した申込番号を営業所端末４に通知して（Ｓ３６）、処理を終了する。
【０１０５】
その後に、ホストコンピュータ１０は、営業端末４から点検・入力処理の内容データを受信し、申込番号と作成番号に対応付けて第２のデータベースに点検・入力処理の内容データ（点検・入力済申込内容データ又は点検・入力済告知内容データ）を記憶する。
尚、判定処理Ｓ３２でＮｏの場合に、処理Ｓ３４で営業所端末４に作成番号が登録されていないことを通知し、処理Ｓ３５で営業所端末４から申込番号の要求を受け付けるようにしているが、処理Ｓ３４，Ｓ３５を省略して処理Ｓ３６を行ってもよい。
【０１０６】
以上は、申込内容点検対応手段、告知点検対応手段における配番処理を説明したが、入金点検対応手段における配番処理の場合は、処理Ｓ３３と処理Ｓ３６の後に、第２のＤＢ３０に申込番号に決済番号を対応付ける処理を追加することになる。つまり、ホストコンピュータ１０は、営業端末４から決済番号が付与された点検・入力処理の内容データを受信し、申込番号と作成番号に決済番号を対応付けて第２のデータベースに点検・入力処理の内容データ（点検・入力済入金内容のデータ）を記憶する。
【０１０７】
［本社端末５に対応する手段］
本社端末５に対応する手段として、全点検対応手段とを有している。
全点検対応手段は、申込の親権者の自署、申込の続柄「その他」の妥当性、取扱報告書の取扱自署等の点検に必要なデータを第２のＤＢ３０から読み込み、本社端末５に提供し、本社端末５で点検されたデータを受信する。
【０１０８】
全点検対応手段で正常な点検が為されると、第２のＤＢ３０に記憶した申込番号に対応する新契約申込内容のデータを第３のＤＢ４０に移行する。
第２のＤＢ３０から第３のＤＢ４０へのデータ移行に際して、ホストコンピュータ１０の制御部は、お客様番号に対してお客様情報を管理するお客様データベースを申込情報の保険契約者の情報で検索して該当するお客様番号を取得し、第３のＤＢ４０に証券番号、お客様番号、申込情報を保険情報として記憶し、保険情報を証券番号で管理する。
【０１０９】
また、第２のＤＢ３０から第３のＤＢ４０にデータの移行が完了すると、特定の期間（例えば１ヶ月）経過後に、第２のＤＢ３０で申込番号に対応したデータが削除され、申込番号が未使用となる。
このようにして、第１のＤＢ２０に保険の新契約申込の事前情報が登録されて必要な処理が為され、第２のＤＢ３０で申込情報として点検等が為されて、証券番号で管理される保険情報データベースの第３のＤＢ４０に新契約申込内容のデータを容易に移行できるものである。
【０１１０】
［実施の形態の効果］
本システムによれば、保険の申込者は申込内容の変更をラベル印刷機器１７ａでラベル印刷されてお申込内容訂正（変更）控に貼付できるため、変更事項を容易に認識でき、申込内容点検処理、入金点検処理、告知点検処理の各々独立の点検処理を第２のＤＢ３０における申込番号によって一時的に関連付ける処理を行い、証券番号で管理される第３のＤＢ４０へ申込情報を保険情報として確実にしかも効率的に移行できる効果がある。
【０１１１】
また、本システムによれば、第１のＤＢ２０における保険申込の事前情報という確定していない情報から申込書点検・入力処理等により確認処理された申込情報を第２のＤＢ３０にデータ移行し、更に、その申込情報から証券番号で管理される証券情報を第３のＤＢ４０にデータ移行するようにしているので、保険申込の事前情報が申込情報を介して証券情報に確実にしかも効率的にデータ移行できる効果がある。
【産業上の利用可能性】
【０１１２】
本発明は、保険の申込者は容易に申込内容の変更を認識でき、申込内容点検処理、入金点検処理、告知点検処理の各点検処理を関連付ける処理を行い、証券番号で管理されるデータベースへ申込情報を効率的に移行できる新契約申込手続処理システムに好適である。
【符号の説明】
【０１１３】
１...携帯端末、  ２ａ，２ｂ...基地局、  ３ａ...公衆ネットワーク、  ３ｂ...社内ネットワーク、  ４...営業所端末、  ５...本社端末、  １０...ホストコンピュータ、  １１...制御部、  １２...記憶部、  １３...表示部、  １４...入力部、  １５...通信部、  １６...インタフェース部１６、  １７...外部接続機器、  １７ａ...ラベル印刷機器、  １７ｂ...カード決済機器、  ２０...第１のデータベース（第１のＤＢ）、  ３０...第２のデータベース（第２のＤＢ）、  ４０...第３のデータベース（第３のＤＢ）、  ４１...制御部、  ４２...記憶部、  ４３...インタフェース部、  ４４...表示部、  ４５...入力部
【図１】
0006030042.tif 000002
【図２】
0006030042.tif 000003
【図３】
0006030042.tif 000004
【図４】
0006030042.tif 000005
【図５】
0006030042.tif 000006
【図６】
0006030042.tif 000007
【図７】
0006030042.tif 000008
【図８】
0006030042.tif 000009
【図９】
0006030042.tif 000010
【図１０】
0006030042.tif 000011
【図１１】
0006030042.tif 000012
【図１２】
0006030042.tif 000013
【図１３】
0006030042.tif 000014
【図１４】
0006030042.tif 000015
【図１５】
0006030042.tif 000016
【図１６】
0006030042.tif 000017
【図１７】
0006030042.tif 000018